(57)【特許請求の範囲】
【請求項１】
無線デバイス（１０５、２００、３００ａ〜３００ｂ、６００）による方法であって、
第２のメッセージが第１のメッセージの少なくとも部分的なコピーであるかどうかを決定すること（４０３）、および
前記第２のメッセージが前記第１のメッセージの少なくとも部分的なコピーであると決定することに応答して、前記第１のメッセージ（１１３）の少なくとも部分的なコピーである前記第２のメッセージ（１１５）の送信（１０９）に続く少なくとも特定の期間（１１１）にわたり前記第１のメッセージの送信（１０７）を遅延させること（４０５、５０７）を備え、
前記第１および第２のメッセージは、メディアアクセス制御（ＭＡＣ）制御要素（ＣＥ）であり、
前記第１および第２のメッセージは、推奨されるビットレート（ＲＢＲ）に関してネットワークノード（１０１）にクエリを行うことに関連付けられている、方法。
【請求項２】
前記遅延させることは、少なくとも前記特定の期間が経過するまで前記第１のメッセージの生成を待機することを含む、請求項１に記載の方法。
【請求項３】
前記遅延させることは、前記第１のメッセージを送信しないよう決定することを含む、請求項１に記載の方法。
【請求項４】
前記送信しないよう決定することは、前記無線デバイスの条件の変化を決定することに応答してなされる、請求項３に記載の方法。
【請求項５】
前記送信しないよう決定することは、前記第１のメッセージがもはや適用可能ではないと決定することに応答してなされる、請求項３または４に記載の方法。
【請求項６】
前記特定の期間の後に前記第１のメッセージを送信すること（４０９、５１１）をさらに備える、請求項１または２に記載の方法。
【請求項７】
前記第１および第２のメッセージは、いずれもアップリンク送信に関連付けられているか、またはいずれもダウンリンク送信に関連付けられているかどうかを決定すること（４０４）をさらに備え、
前記遅延させることは、前記第１および第２のメッセージが、いずれもアップリンク送信に関連付けられているか、またはいずれもダウンリンク送信に関連付けられていると決定することに応答してなされる、請求項１から６のいずれか一項に記載の方法。
【請求項８】
前記第２のメッセージを送信することに応答して前記特定の期間後に満了を指示するためのタイマー（１０６、２０５）を実行すること（５０３）をさらに備える、請求項７に記載の方法。
【請求項９】
前記特定の期間が満了したことを前記タイマーが指示すると決定することに応答して前記第１のメッセージを送信すること（４０９）をさらに備える、請求項８に記載の方法。
【請求項１０】
前記第１のメッセージを送信することに応答して前記特定の期間後に満了を指示するためのタイマーを実行すること（５１３）をさらに備える、請求項８または９に記載の方法。
【請求項１１】
前記タイマーは、前記第１および第２のメッセージが、いずれもアップリンク送信に関連付けられているか、またはいずれもダウンリンク送信に関連付けられているかどうかに基づいて選択される、請求項８から１０のいずれか一項に記載の方法。
【請求項１２】
前記タイマーは、前記第１のメッセージによって指示されるビットレートが、前記第１および第２のメッセージに関連付けられている論理チャネルの特定の基準を満たすか、または満たさないかどうかに基づいて選択される、請求項８から１１のいずれか一項に記載の方法。
【請求項１３】
前記特定の基準は、前記第１のメッセージによって指示されるビットレートが、前記論理チャネルに割り当てられている現在のビットレートと異なっているかどうかに基づく、請求項１２に記載の方法。
【請求項１４】
前記タイマーは、前記第１および第２のメッセージが、同じ論理チャネルに関連付けられているかどうかに基づいて選択される、請求項８から１３のいずれか一項に記載の方法。
【請求項１５】
前記第１のメッセージの前記部分的なコピーは、前記第２のメッセージの対応するフィールドと同じ値を有するメッセージの少なくとも１つのフィールドを参照する、請求項１から１４のいずれか一項に記載の方法。
【請求項１６】
前記第１のメッセージの前記部分的なコピーは、前記第２のメッセージの対応するフィールドと同じ値を有する前記第１のメッセージのフィールドの組合せの各々を参照する、請求項１から１５のいずれか一項に記載の方法。
【請求項１７】
前記第１のメッセージの前記部分的なコピーは、前記第２のメッセージの対応するフィールドの値のあらかじめ定められたしきい値内にある値を有する前記第１のメッセージの特定のフィールドを参照する、請求項１から１６のいずれか一項に記載の方法。
【請求項１８】
前記特定の期間の指示を、ネットワークノード（１０１）から受信することをさらに備える、請求項１から１７のいずれか一項に記載の方法。
【請求項１９】
前記第１および第２のメッセージは、いずれもアップリンク送信に関連付けられているか、またはいずれもダウンリンク送信に関連付けられている、請求項１から１８のいずれか一項に記載の方法。
【請求項２０】
前記第１および第２のメッセージは同じ論理チャネルに関連付けられている、請求項１から１９のいずれか一項に記載の方法。
【請求項２１】
前記第１および第２のメッセージが同じ論理チャネルに関連付けられているかどうかを決定することをさらに備え、
前記遅延させることは、前記第１および第２のメッセージが前記同じ論理チャネルに関連付けられていると決定することに応答してなされる、請求項１から２０のいずれか一項に記載の方法。
【請求項２２】
特定のアップリンクまたはダウンリンク論理チャネルでの前記第１のメッセージの送信を遅延させることに関連付けられているタイマー（１０６、２０５）が、その特定のアップリンクまたはダウンリンク論理チャネルについて設定され、実行していないかどうかを決定することと、
特定のアップリンクまたはダウンリンク論理チャネルでの前記第１のメッセージの送信を遅延させることに関連付けられている前記タイマーが、その特定のアップリンクまたはダウンリンク論理チャネルについて設定され、実行していないと決定することに応答して、その特定のアップリンクまたはダウンリンク論理チャネルで前記第１のメッセージを送信すること（１０１３）とをさらに備える、請求項１から２１のいずれか一項に記載に記載の方法。
【請求項２３】
少なくとも１つのプロセッサ（３０１ａ、６０１）とメモリ（３０３ａ、６１５）とを備え、前記メモリは、前記少なくとも１つのプロセッサによって実行可能な命令を備え、これにより無線デバイスは、
第２のメッセージが第１のメッセージの少なくとも部分的なコピーであるかどうかを決定し（４０３）、
前記第２のメッセージが前記第１のメッセージの少なくとも部分的なコピーであると決定することに応答して、前記第１のメッセージ（１１３）の少なくとも部分的なコピーである前記第２のメッセージ（１１５）の送信（１０９）に続く少なくとも特定の期間（１１１）にわたり前記第１のメッセージの送信（１０７）を遅延させる（４０５、５０７）ように設定され、
前記第１および第２のメッセージは、メディアアクセス制御（ＭＡＣ）制御要素（ＣＥ）であり、
前記第１および第２のメッセージは、推奨されるビットレート（ＲＢＲ）に関してネットワークノード（１０１）にクエリを行うために使用される、無線デバイス（１０５、２００、３００ａ〜３００ｂ、６００）。
【請求項２４】
請求項２から２２のいずれか一項に記載の方法を実行するように設定された、請求項２３に記載の無線デバイス。
【発明の詳細な説明】
【技術分野】
【０００１】
本開示は、概して、通信の分野に関し、特に、メッセージの送信を遅延させることに関する。
【背景技術】
【０００２】
現在の第３世代パートナーシッププロジェクト（３ＧＰＰ）のＬｏｎｇ  Ｔｅｒｍ  Ｅｖｏｌｕｔｉｏｎ（ＬＴＥ）標準仕様において、ユーザ機器（ＵＥ）が特定のメッセージを過剰に頻繁に送信することを禁じるために使用される禁止タイマーがある。これは、システム容量が保護され、不必要または不要な送信に起因する干渉が低く抑えられることを保証する。過剰に頻繁に送信されることを防止され得るメッセージの１つの例は、メディアアクセス制御（ＭＡＣ）制御要素（ＣＥ）である。ＭＡＣ  ＣＥは、ＭＡＣレイヤにおいて通信リンクの２つのエンティティ間で制御情報を送信する。図１１に示されるように、固定サイズのＭＡＣ  ＣＥのＭＡＣプロトコルデータユニット（ＰＤＵ）サブヘッダは、予約済み（Ｒ）、予約済み（Ｒ）、拡張（Ｅ）、および論理チャネル識別子（ＬＣＩＤ）という４つのヘッダフィールドで設定され、このサブヘッダはまたこのフィールドによりＲ／Ｒ／Ｅ／ＬＣＩＤと称されている。ＬＣＩＤは、ＣＥのタイプを規定する。以下の表１および表２は、３ＧＰＰ  ＬＴＥダウンリンク共有チャネル（ＤＬ−ＳＣＨ）およびアップリンク共有チャネル（ＵＬ−ＳＣＨ）に使用される値を示す。
0006858263.tif 000002
0006858263.tif 000003
【０００３】
ＭＡＣ制御要素自体は、ＭＡＣ  ＰＤＵのペイロード部分で符号化されている。特定の制御の詳細に応じて、異なるサイズが使用される。最も単純な事例において、サイズは「０」であり、機能はサブヘッダによってすでに完全に決定されている。ＭＡＣ  ＣＥのサイズもまた、可変であってもよい。送信の間隔に制約がある場合もあるＭＡＣ  ＣＥの例は、図１２において説明される、アップリンクまたはダウンリンク方向（ＵＬ／ＤＬ）の特定のＬＣＩＤの推奨されるビットレートでのＵＥクエリである。禁止タイマーに基づいて送信されることが防止され得るメッセージのもう１つの例は、パケットデータコンバージェンスプロトコル（ＰＤＣＰ）制御ＰＤＵである。
【０００４】
制御情報は、ＰＤＣＰ制御ＰＤＵを使用して通信リンクの２つのエンティティ間で送信されてもよい。現在、ＰＤＣＰ制御ＰＤＵは、どのＰＤＣＰサービスデータユニット（ＳＤＵ）が欠落しているか、およびどれがＰＤＣＰ再確立またはヘッダ圧縮制御情報、たとえば散在するロバストヘッダ圧縮（ＲＯＨＣ）フィードバックに従っていないかを指示するＰＤＣＰステータスレポートを搬送するために使用される。図１３のＲＯＨＣフィードバックのＰＤＣＰ制御ＰＤＵの例を参照すると、ＰＤＣＰ制御ＰＤＵは、「１」にセットされたデータまたは制御（Ｄ／Ｃ）ビット、およびＰＤＵタイプビットフィールドを介して識別される。以下の表３は、３ＧＰＰ制御ＰＤＵに使用される値を示す。
0006858263.tif 000004
【０００５】
推奨されるビットレートに関してｅＮＢにクエリを行うためにＵＥがＭＡＣ  ＣＥを送信する場合のような、一部のシナリオにおいて、ＵＥは、たとえ短期間であっても同一または類似するメッセージを複数回送信し、結果としてネットワークリソースおよび帯域幅を浪費することになる。したがって、同一または類似するメッセージの送信を遅延させるための改善された技法が必要とされている。加えて、本開示のその他の望ましい特徴および特性は、付属の図面および前述の技術分野および背景技術と併せて、以下の詳細な説明および実施形態から明らかとなろう。
【０００６】
本文書の背景技術のセクションは、技術的および運用上のコンテキストに本開示の実施形態を配置して、当業者がこれらの範囲および用途を理解することを支援するために提供される。明示的にそのように特定されていない限り、本明細書における記述は、背景技術のセクションに単に包含されていることによって従来技術であると認められるものではない。
【発明の概要】
【０００７】
後段では、当業者に基本的な理解をもたらすために、本開示の簡略化した概要を提示する。この概要は、開示の広範に及ぶ概説ではなく、また開示の実施形態の主要／重大な要素を識別することも、開示の範囲を詳細に示すことも意図されてはいない。この概要の唯一の目的は、後段で提示されるさらに詳細な説明の前置きとして、簡略化した形で、本明細書において開示される一部の概念を提示することである。
【０００８】
１つの態様によれば、無線デバイスによる方法は、第１のメッセージの少なくとも部分的なコピーである第２のメッセージの送信に続く少なくとも特定の期間にわたり第１のメッセージの送信を遅延させることを備える。
【０００９】
もう１つの態様によれば、遅延させるステップは、少なくとも特定の期間が経過するまで第１のメッセージの生成を待機することを含む。
【００１０】
もう１つの態様によれば、遅延させるステップは、第１のメッセージを送信しないよう決定することを含む。
【００１１】
もう１つの態様によれば、送信しないよう決定するステップは、無線デバイスの条件の変化を決定することに応答してなされる。
【００１２】
もう１つの態様によれば、送信しないよう決定するステップは、第１のメッセージがもはや適用可能ではないと決定することに応答してなされる。
【００１３】
もう１つの態様によれば、方法は、第２のメッセージが第１のメッセージの少なくとも部分的なコピーであるかどうかを決定することを含む。さらに、遅延させるステップは、第２のメッセージが第１のメッセージの少なくとも部分的なコピーであると決定することに応答してなされる。
【００１４】
もう１つの態様によれば、方法は、特定の期間の後に第１のメッセージを送信することを含む。
【００１５】
もう１つの態様によれば、方法は、第１および第２のメッセージが、いずれもアップリンク送信に関連付けられているか、またはいずれもダウンリンク送信に関連付けられているかどうかを決定することを含む。また、遅延させるステップは、第１および第２のメッセージが、いずれもアップリンク送信に関連付けられているか、またはいずれもダウンリンク送信に関連付けられていると決定することに応答してなされる。
【００１６】
もう１つの態様によれば、方法は、第２のメッセージを送信することに応答して特定の期間後に満了を指示するためのタイマーを実行することを含む。
【００１７】
もう１つの態様によれば、方法は、特定の期間が満了したことをタイマーが指示すると決定することに応答して第１のメッセージを送信することを含む。
【００１８】
もう１つの態様によれば、方法は、第１のメッセージを送信することに応答して特定の期間後に満了を指示するためのタイマーを実行することを含む。
【００１９】
もう１つの態様によれば、タイマーは、第１および第２のメッセージが、いずれもアップリンク送信に関連付けられているか、またはいずれもダウンリンク送信に関連付けられているかどうかに基づいて選択される。
【００２０】
もう１つの態様によれば、タイマーは、第１のメッセージによって指示されるビットレートが、第１および第２のメッセージに関連付けられている論理チャネルの特定の基準を満たすか、または満たさないかどうかに基づいて選択される。
【００２１】
もう１つの態様によれば、特定の基準は、第１のメッセージによって指示されるビットレートが、論理チャネルに割り当てられている現在のビットレートと異なっているかどうかに基づく。
【００２２】
もう１つの態様によれば、タイマーは、第１および第２のメッセージが、同じ論理チャネルに関連付けられているかどうかに基づいて選択される。
【００２３】
もう１つの態様によれば、第１のメッセージの部分的コピーは、第２のメッセージの対応するフィールドと同じ値を有するメッセージの少なくとも１つのフィールドを参照する。
【００２４】
もう１つの態様によれば、第１のメッセージの部分的コピーは、第２のメッセージの対応するフィールドと同じ値を有する第１のメッセージのフィールドの組合せの各々を参照する。
【００２５】
もう１つの態様によれば、第１のメッセージの部分的コピーは、第２のメッセージの対応するフィールドの値のあらかじめ定められたしきい値内にある値を有する第１のメッセージの特定のフィールドを参照する。
【００２６】
もう１つの態様によれば、方法は、特定の期間の指示を、ネットワークノードから受信することを含む。
【００２７】
本開示のもう１つの態様によれば、第１および第２のメッセージは、推奨されるビットレート（ＲＢＲ）に関してネットワークノードにクエリを行うことに関連付けられている。
【００２８】
もう１つの態様によれば、第１および第２のメッセージは、いずれもアップリンク送信に関連付けられているか、またはいずれもダウンリンク送信に関連付けられている。
【００２９】
もう１つの態様によれば、第１および第２のメッセージは、同じ論理チャネルに関連付けられている。
【００３０】
もう１つの態様によれば、方法は、第１および第２のメッセージが同じ論理チャネルに関連付けられているかどうかを決定することを含む。加えて、遅延させるステップは、第１および第２のメッセージが同じ論理チャネルに関連付けられていると決定することに応答してなされる。
【００３１】
もう１つの態様によれば、メッセージは制御要素（ＣＥ）である。
【００３２】
もう１つの態様によれば、メッセージはメディアアクセス制御（ＭＡＣ）ＣＥである。
【００３３】
もう１つの態様によれば、メッセージは制御プロトコルデータユニット（ＰＤＵ）である。
【００３４】
もう１つの態様によれば、メッセージはパケットデータコンバージェンスプロトコル（ＰＤＣＰ）制御ＰＤＵである。
【００３５】
もう１つの態様によれば、方法は、特定のアップリンクまたはダウンリンク論理チャネルでのメッセージの送信を遅延させることに関連付けられているタイマーが、その特定のアップリンクまたはダウンリンク論理チャネルについて設定され、実行していないかどうかを決定することを含む。さらに、その特定のアップリンクまたはダウンリンク論理チャネルでメッセージを送信するステップは、タイマーが、その特定のアップリンクまたはダウンリンク論理チャネルについて設定され、実行していないと決定することに応答してなされる。
【００３６】
１つの態様によれば、無線デバイスは、第１のメッセージの少なくとも部分的なコピーである第２のメッセージの送信に続く少なくとも特定の期間にわたり第１のメッセージの送信を遅延させるように設定される。
【００３７】
もう１つの態様によれば、無線デバイスは、少なくとも１つのプロセッサおよびメモリを備える。さらに、メモリは、少なくとも１つのプロセッサにより実行可能な命令を備え、これにより無線デバイスは、第１のメッセージの少なくとも部分的なコピーである第２のメッセージの送信に続く少なくとも特定の期間にわたり第１のメッセージの送信を遅延させるように設定される。
【００３８】
１つの態様によれば、無線デバイスは、第１のメッセージの少なくとも部分的なコピーである第２のメッセージの送信に続く少なくとも特定の期間にわたり第１のメッセージの送信を遅延させるための遅延モジュールを備える。
【００３９】
１つの態様によれば、コンピュータプログラムは、無線デバイスの少なくとも１つのプロセッサ上で実行されるとき、少なくとも１つのプロセッサに、第１のメッセージの少なくとも部分的なコピーである第２のメッセージの送信に続く少なくとも特定の期間にわたり第１のメッセージの送信を遅延させるようにする命令を備える。さらに、キャリアは、コンピュータプログラムを含むことができ、キャリアは電子信号、光信号、無線信号、またはコンピュータ可読ストレージ媒体のうちの１つである。
【００４０】
１つの態様によれば、無線デバイスによる方法は、特定のアップリンクまたはダウンリンク論理チャネルでのメッセージの送信を遅延させることに関連付けられているタイマーが、その特定のアップリンクまたはダウンリンク論理チャネルについて設定され、実行していないかどうかを決定することを備える。さらに、方法は、タイマーが、その特定のアップリンクまたはダウンリンク論理チャネルについて設定され、実行していないと決定することに応答して、その特定のアップリンクまたはダウンリンク論理チャネルでメッセージをネットワークノードに送信することを含む。
【００４１】
もう１つの態様によれば、方法は、その特定のアップリンクまたはダウンリンク論理チャネルについてタイマーが設定され、実行していると決定することに応答して、メッセージを送信しないよう決定することを含む。
【００４２】
もう１つの態様によれば、方法は、その特定のアップリンクまたはダウンリンク論理チャネルについてタイマーが設定され、実行していないと決定することに応答して、メッセージを生成することを含む。
【００４３】
もう１つの態様によれば、方法は、その特定のアップリンクまたはダウンリンク論理チャネルについてタイマーが設定され、実行していないと決定することに応答して、タイマーを実行することを含む。
【００４４】
もう１つの態様によれば、方法は、無線リソースが、その特定のアップリンクまたはダウンリンク論理チャネルでの送信に割り当てられているか、または割り当てられていないかどうかを決定することを含む。さらに、送信するステップは、無線リソースが、その特定のアップリンクまたはダウンリンク論理チャネルでの送信に割り当てられていると決定することに応答して、割り当てられた無線リソース上でメッセージを送信することを含む。
【００４５】
もう１つの態様によれば、方法は、無線リソースが、その特定のアップリンクまたはダウンリンク論理チャネルでの送信に割り当てられていると決定することに応答して、メッセージを生成することを含む。
【００４６】
もう１つの態様によれば、方法は、無線リソースが、その特定のアップリンクまたはダウンリンク論理チャネルでの送信に割り当てられていると決定することに応答して、タイマーを実行することを含む。
【００４７】
もう１つの態様によれば、方法は、その特定のアップリンクまたはダウンリンク論理チャネルでの送信に割り当てられている無線リソースが、メッセージに適応することができるか、または適応することができないかどうかを決定することを含む。さらに、送信するステップは、割り当てられている無線リソースが、その特定のアップリンクまたはダウンリンク論理チャネルでのメッセージの送信に適応すると決定することに応答してなされる。
【００４８】
もう１つの態様によれば、割り当てられている無線リソースがメッセージに適応することができるか、または適応することができないかどうかを決定するステップは、論理チャネル優先順位付けに基づく。
【００４９】
もう１つの態様によれば、方法は、無線リソースが、その特定のアップリンクまたはダウンリンク論理チャネルでの送信に割り当てられていると決定することに応答して、メッセージを生成することを含む。
【００５０】
もう１つの態様によれば、方法は、無線リソースが、その特定のアップリンクまたはダウンリンク論理チャネルでの送信に割り当てられていると決定することに応答して、タイマーを実行することを含む。
【００５１】
もう１つの態様によれば、メッセージはＭＡＣ  ＣＥである。
【００５２】
もう１つの態様によれば、メッセージは推奨されるビットレートのＭＡＣ  ＣＥである。
【００５３】
もう１つの態様によれば、メッセージは、ＲＢＲについてネットワークノードにクエリを行うことに関連付けられている。
【００５４】
もう１つの態様によれば、タイマーはビットレートクエリ禁止タイマーである。
【００５５】
１つの態様によれば、無線デバイスは、特定のアップリンクまたはダウンリンク論理チャネルでのメッセージの送信を遅延させることに関連付けられているタイマーが、その特定のアップリンクまたはダウンリンク論理チャネルについて設定され、実行していないかどうかを決定するように設定される。さらに、無線デバイスは、タイマーが、その特定のアップリンクまたはダウンリンク論理チャネルについて設定され、実行していないと決定することに応答して、その特定のアップリンクまたはダウンリンク論理チャネルでメッセージをネットワークノードに送信するように設定される。
【００５６】
１つの態様によれば、無線デバイスは、少なくとも１つのプロセッサおよびメモリを備える。さらに、メモリは、少なくとも１つのプロセッサによって実行可能な命令を備え、それにより無線デバイスは、特定のアップリンクまたはダウンリンク論理チャネルでのメッセージの送信を遅延させることに関連付けられているタイマーが、その特定のアップリンクまたはダウンリンク論理チャネルについて設定され、実行していないかどうかを決定するように設定される。また、無線デバイスは、タイマーが、その特定のアップリンクまたはダウンリンク論理チャネルについて設定され、実行していないと決定することに応答して、その特定のアップリンクまたはダウンリンク論理チャネルでメッセージをネットワークノードに送信するように設定される。
【００５７】
１つの態様によれば、無線デバイスは、特定のアップリンクまたはダウンリンク論理チャネルでのメッセージの送信を遅延させることに関連付けられているタイマーが、その特定のアップリンクまたはダウンリンク論理チャネルについて設定され、実行していないかどうかを決定するための決定モジュールを備える。さらに、無線デバイスは、タイマーが、その特定のアップリンクまたはダウンリンク論理チャネルについて設定され、実行していないと決定することに応答して、その特定のアップリンクまたはダウンリンク論理チャネルでメッセージをネットワークノードに送信するための送信モジュールを含む。
【００５８】
１つの態様によれば、コンピュータプログラムは、無線デバイスの少なくとも１つのプロセッサ上で実行されるとき、少なくとも１つのプロセッサに、特定のアップリンクまたはダウンリンク論理チャネルでのメッセージの送信を遅延させることに関連付けられているタイマーが、その特定のアップリンクまたはダウンリンク論理チャネルについて設定され、実行していないかどうかを決定させる命令を備える。また、タイマーが、その特定のアップリンクまたはダウンリンク論理チャネルについて設定され、実行していないと決定することに応答して、命令は、少なくとも１つのプロセッサに、その特定のアップリンクまたはダウンリンク論理チャネルでメッセージをネットワークノードに送信させる。加えて、キャリアは、コンピュータプログラムを含むことができ、キャリアは電子信号、光信号、無線信号、またはコンピュータ可読ストレージ媒体のうちの１つである。
【００５９】
１つの態様によれば、ＵＥは、第１および第２のＭＡＣ  ＣＥが、相互のコピーであると（少なくとも部分的に）見なされる場合、ＵＥが第１のＭＡＣ  ＣＥを送信した後の時間Ｔに第２のＭＡＣ  ＣＥを送信することを禁止される。
【００６０】
１つの態様によれば、ＵＥは、同じＭＡＣ  ＣＥのコピーを過剰に頻繁に送信しないが、同時にＵＥは、ＭＡＣ  ＣＥの目的および／または内容が異なる場合、短時間の間ＭＡＣ  ＣＥを２回（またはそれ以上）送信するように動作可能である。
【００６１】
これ以降、本開示は、本開示の実施形態が示される添付の図面を参照して以下にさらに詳細に説明される。しかし、本開示は、本明細書において示される実施形態に限定されるものとして解釈されるべきではない。むしろ、これらの実施形態は、この開示が綿密かつ完璧なものとなり、本開示の範囲を当業者に十分に伝達できるようにするために提供されている。全体を通じて、類似する番号は類似する要素を示す。
【図面の簡単な説明】
【００６２】
【図１】本明細書において説明されるさまざまな態様によるメッセージの送信を遅延させるためのシステムの１つの実施形態を示す図である。
【図２】本明細書において説明されるさまざまな態様によるメッセージの送信を遅延させるための無線デバイスの１つの実施形態を示す図である。
【図３Ａ−３Ｂ】本明細書において説明されるさまざまな態様による無線デバイスの実施形態を示す図である。
【図４】本明細書において説明されるさまざまな態様によるメッセージの送信を遅延させるために無線デバイスによって実行される方法の１つの実施形態を示す図である。
【図５】本明細書において説明されるさまざまな態様によるメッセージの送信を遅延させるために無線デバイスによって実行される方法のもう１つの実施形態を示す図である。
【図６】本明細書において説明されるさまざまな態様による無線デバイスのもう１つの実施形態を示す図である。
【図７】本明細書において説明されるさまざまな態様によるメッセージの送信を遅延させるために無線デバイスによって実行される方法のもう１つの実施形態を示す図である。
【図８】本明細書において説明されるさまざまな態様によるメッセージの送信を遅延させるために無線デバイスによって実行される方法のもう１つの実施形態を示す図である。
【図９】本明細書において説明されるさまざまな態様によるメッセージの送信を遅延させるために無線デバイスによって実行される方法のもう１つの実施形態を示す図である。
【図１０】本明細書において説明されるさまざまな態様によるメッセージの送信を遅延させるために無線デバイスによって実行される方法のもう１つの実施形態を示す図である。
【図１１】固定サイズのＭＡＣ  ＣＥのＭＡＣ  ＰＤＵサブヘッダを示す図である。
【図１２】推奨されるビットレートでのＵＥクエリのＭＡＣ  ＣＥ示す図である。
【図１３】ＲＯＨＣフィードバック制御ＰＤＵを示す図である。
【発明を実施するための形態】
【００６３】
簡略化および例証のため、本開示は、主にその例示的な実施形態を参照することにより説明される。以下の説明において、本開示の深い理解をもたらすために、多数の具体的な詳細が示される。しかし、本開示が、それらの具体的な詳細を制限することなく実施され得ることは、当業者には容易に明らかとなろう。この説明において、よく知られている方法および構造については、本開示を不必要にあいまいなものにしないようにするため、詳細には説明されていない。
【００６４】
本開示は、メッセージの送信を遅延させるためのシステムおよび方法を説明することを含む。１つの例において、無線デバイス（たとえば、ＵＥ）は、第１のメッセージが、第２のメッセージの少なくとも部分的なコピーである場合、無線デバイスが第１のメッセージ（たとえば、第１のＭＡＣ  ＣＥ）を送信した後の時間（Ｔ）まで第２のメッセージ（たとえば、第２のＭＡＣ  ＣＥ）を送信することを禁止される。もう１つの例において、無線デバイスは、第１のメッセージの少なくとも部分的なコピーである第２のメッセージの送信に続く少なくとも特定の期間にわたり第１のメッセージの送信を遅延させる。さらにもう１つの例において、無線デバイスは、特定のアップリンクまたはダウンリンク論理チャネルでのメッセージの送信を遅延させることに関連付けられているタイマーが、その特定のアップリンクまたはダウンリンク論理チャネルでの送信について設定され、実行していないと決定することに応答して、その特定のアップリンクまたはダウンリンク論理チャネルでメッセージを送信する。本明細書において説明される実施形態の利点は、複数のメッセージの目的または内容が異なる場合に、無線デバイス（たとえば、ＵＥ）が短期間に複数のメッセージを送信できるようにする間、無線デバイスが過剰に頻繁に同じメッセージ（たとえば、ＭＡＣ  ＣＤ）のコピーを送信しないようにすることを含む。
【００６５】
図１は、本明細書において説明されるさまざまな態様によるメッセージの送信を遅延させるためのシステム１００の１つの実施形態を示す。図１において、無線デバイス１０５（たとえば、ＵＥ）は、メッセージ１１５（図１において第２のメッセージとして指示される）をカバレッジエリア１０３を有するネットワークノード１０１（たとえば、基地局）に送信することができる。第２のメッセージ（たとえば、ＭＡＣ  ＣＥ、ＰＤＣＰ制御ＰＤＵなど）の送信は、１０９により参照される。次いで、無線デバイス１０５は、ネットワークノード１０１に送信すべきもう１つのメッセージ１１３（図１において第１のメッセージとして指示される）があると決定することができる。第１のメッセージ１１３（たとえば、ＭＡＣ  ＣＥ、ＰＤＣＰ制御ＰＤＵなど）を送信する前に、無線デバイス１０５は、第１のメッセージ１１３が第２のメッセージ１１５の少なくとも部分的なコピーであるかどうかを決定することができる。１つの例において、部分的コピーは、第２のメッセージ１１５の対応するフィールドと同じ値を有する第１のメッセージ１１３の少なくとも１つのフィールドを参照することができる。もう１つの例において、部分的コピーは、第２のメッセージ１１５の対応するフィールドと同じ値を有する第１のメッセージ１１３のフィールドの組合せの各々を参照することができる。第１のメッセージ１１３が、第２のメッセージ１１５の少なくとも部分的なコピーである場合、無線デバイス１０５は、第２のメッセージ１１５の送信に続く少なくとも特定の期間１１１にわたり第１のメッセージ１１３の送信を遅延させることができる。少なくとも部分的に冗長なメッセージの送信を遅延させることにより、無線デバイス１０５は、ネットワークノード１０１のシグナリングロード、ならびにそのようなメッセージを受信して処理するために使用されるネットワークノード１０１の処理時間およびリソースを低減することができる。さらに、無線デバイス１０５は、少なくとも部分的に冗長な情報を過剰に頻繁に処理および送信する必要がないことで、自身の処理時間およびリソースを低減し、結果として電力消費を低減してバッテリ寿命をのばすことができる。
【００６６】
さらに、無線デバイス１０５は、たとえば、無線デバイス１０５の条件の変化（たとえば、ハンドオフ、コール再確立、スリープモード、バッテリレベルなど）、または第１のメッセージ１０５がもはや適用可能ではない（たとえば、受信信号強度の変化、電力レベル、電力ヘッドルーム、タイミングアドバンスなど）と決定することを理由として、第１のメッセージ１１３を送信しないよう決定することができる。前述のように、特定の期間１１１の前または後、無線デバイス１０５は、第１のメッセージ１１３を送信するか、または送信しないかどうかを決定することができる。無線デバイス１０５が第１のメッセージ１１３を送信すると決定する場合、無線デバイス１０５は、１０７により参照される特定の期間１１１の後に、第１のメッセージをネットワークノード１０１に送信することができる。
【００６７】
もう１つの実施形態において、無線デバイス１０５は、第２のメッセージ１１５を、１０９により参照されるネットワークノード１０１に送信することができる。第２のメッセージ１１５を送信することに対する応答において、無線デバイス１０５は、特定の期間１１１後の満了を指示するためのタイマー１０６を設定することができる。さらに、無線デバイス１０５は、第１のメッセージ１１３が送信されるべきであると決定することができる。第１のメッセージ１１３を送信する前に、無線デバイス１０５は、第１のメッセージ１１３が第２のメッセージ１１５の少なくとも部分的なコピーであるかどうかを決定することができる。少なくとも部分的なコピーであると決定する場合、無線デバイス１０５は、第２のメッセージ１１５の送信に続く少なくとも特定の期間１１１にわたり第１のメッセージ１１３の送信を遅延させることができる。特定の期間１１１の間または後、無線デバイス１０５は、第１のメッセージ１１３を送信するか、または送信しないかどうかを決定することができる。第１のメッセージ１１３が送信されるべきであり、特定の期間が満了したことをタイマー１０６が指示する場合、無線デバイス１０５は、第１のメッセージ１１３をネットワークノード１０１に送信することができる。
【００６８】
もう１つの実施形態において、無線デバイス１０５は、特定のアップリンクまたはダウンリンク論理チャネルでの第１のメッセージ１１３の送信１０７を遅延させることに関連付けられているタイマー１０６が、その特定のアップリンクまたはダウンリンク論理チャネルについて設定され、実行していないかどうかを決定する。無線デバイス１０５は、その送信１０７に対して無線リソースが割り当てられているか、または割り当てられていないかどうかを決定することができる。さらに、無線デバイス１０５は、その送信１０７に対して割り当てられた無線リソースが、メッセージに適応することができるか、または適応することができないかどうかを決定することができる。（ｉ）タイマー１０６がその特定のアップリンク／ダウンリンク論理チャネルのために設定され、実行していないと決定すること、（ｉｉ）無線リソースがその送信１０７に割り当てられていると決定すること、および（ｉｉｉ）その送信１０７に割り当てられているリソースがメッセージ１１３に適応できると決定すること、のうちの少なくとも１つに対する応答において、無線デバイス１０５は第１のメッセージ１１３を生成することができるか、またはタイマー１０６を実行することができる。さらなる応答において、無線デバイス１０５は、その特定のアップリンク／ダウンリンク論理チャネルでメッセージ１１３をネットワークノード１０１に送信する。
【００６９】
ネットワークノード１０１は、無線通信システム（たとえば、ＬＴＥ、ＬＴＥ−ＮＲ、ＵＭＴＳ、ＧＳＭなど）をサポートするように設定されてもよい。さらに、ネットワークノード１０１は、基地局（たとえば、ｅＮＢ）、アクセスポイント、通信ルータなどであってもよい。ネットワークノード１０１は、無線デバイス１０５のような無線デバイスにサーブすることができる。無線デバイス１０５は、ＵＥ、移動局（ＭＳ）、端末、セルラーフォン、セルラーハンドセット、携帯情報端末（ＰＤＡ）、スマートフォン、携帯電話、オーガナイザー、ハンドヘルドコンピュータ、デスクトップコンピュータ、ラップトップコンピュータ、タブレットコンピュータ、セットトップボックス、テレビジョン、電気器具、ゲームデバイス、医療デバイス、ディスプレイデバイス、計測デバイスなどであってもよい。
【００７０】
図２は、本明細書において説明されるさまざまな態様によるメッセージの送信を遅延させるための無線デバイス２００の１つの実施形態を示す。図２において、無線デバイス２００は、送信遅延回路２０１、タイマー回路２０５、アップリンク／ダウンリンク決定回路２０７、コピー決定回路２０９、無線リソース決定回路２１１、無線リソース割り当て決定回路２１３、メッセージ生成回路２１５、送信機回路２１７など、またはその任意の組合せを含むことができる。さらに、送信遅延回路２０１は、送信決定回路２０３を含むことができる。１つの実施形態において、送信機回路２１７は、第２のメッセージを送信するように設定されてもよい。さらに、コピー決定回路２０９は、第１のメッセージが第２のメッセージの少なくとも部分的なコピーであるかどうかを決定するように設定されてもよい。アップリンク／ダウンリンク決定回路２０７は、第１および第２のメッセージが、いずれもアップリンク送信に関連付けられているか、またはいずれもダウンリンク送信に関連付けられているかどうかを決定するように設定されてもよい。送信遅延回路２０１は、第１のメッセージの少なくとも部分的なコピーである第２のメッセージの送信に続く少なくとも特定の期間にわたり第１のメッセージの送信を遅延させるように設定される。また、送信決定回路２０３は、第１のメッセージを送信するか、または送信しないかどうかを決定するように設定されてもよい。最後に、送信機回路２１７は、第２のメッセージの送信に続く特定の期間の後に第１のメッセージを送信するように設定される。
【００７１】
もう１つの実施形態において、送信機回路２１７は、第２のメッセージを送信するように設定されてもよい。さらに、送信機回路２１７は、第２のメッセージの送信に続く特定の期間の後に第１のメッセージを送信するように設定される。さらに、タイマー回路２０５は、第２のメッセージを送信することに応答して特定の期間後に満了を指示するためのタイマーを実行するように設定されてもよい。コピー決定回路２０９は、第１のメッセージが第２のメッセージの少なくとも部分的なコピーであると決定するように設定されてもよい。送信遅延回路２０１は、第１のメッセージの少なくとも部分的なコピーである第２のメッセージの送信に続く少なくとも特定の期間にわたり第１のメッセージの送信を遅延させるように設定される。また、送信決定回路２０３は、第１のメッセージを送信するか、または送信しないかどうかを決定するように設定されてもよい。
【００７２】
もう１つの実施形態において、タイマー回路２０５は、特定のアップリンク／ダウンリンク論理チャネルでのメッセージの送信を遅延させることに関連付けられているタイマーが、その特定のアップリンク／ダウンリンク論理チャネルについて設定され、実行していないかどうかを決定するように設定される。無線リソース決定回路２１１は、無線リソースが、その特定のアップリンクまたはダウンリンク論理チャネルでの送信に割り当てられているか、または割り当てられていないかどうかを決定するように設定されてもよい。さらに、無線リソース割り当て回路２１３は、その特定のアップリンクまたはダウンリンク論理チャネルでの送信に割り当てられている無線リソースが、メッセージに適応することができるか、または適応することができないかどうかを決定するように設定されてもよい。メッセージ生成回路２１５は、タイマー回路２０５のタイマーが、その特定のアップリンク／ダウンリンク論理チャネルについて設定され、実行していないと決定することに応答して、メッセージを生成するように設定されてもよい。タイマー回路２０５は、タイマーが、その特定のアップリンク／ダウンリンク論理チャネルについて設定され、実行していないと決定することに応答して、そのタイマー回路２０５のタイマーを実行するように設定されてもよい。送信決定回路２０３は、タイマーが、その特定のアップリンク／ダウンリンク論理チャネルについて設定され、実行していると決定することに応答して、メッセージを送信しないよう決定するように設定されてもよい。加えて、送信機回路２１７は、タイマーが、その特定のアップリンク／ダウンリンク論理チャネルについて設定され、実行していないと決定することに応答して、その特定のアップリンク／ダウンリンク論理チャネルでメッセージを送信するように設定される。
【００７３】
図３Ａ〜図３Ｂは、本明細書において説明されるさまざまな態様による無線デバイス３００ａ〜３００ｂの実施形態を示す。図３Ａにおいて、無線デバイス３００ａは、処理回路３０１および通信回路３０５ａを含む。通信回路３０５ａ（たとえば、無線回路）は、（たとえば、任意の通信技術を介して）１つまたは複数のその他のノードとの間で情報を送信または受信するように設定される。そのような通信は、無線デバイス３００ａの内部または外部である１つまたは複数のアンテナ３０７ａを介して生じてもよい。処理回路３０１ａは、メモリ３０３ａに格納されている命令を実行することによってなど、上記で説明される処理を実行するように設定される。この点について、処理回路３０１ａは、特定の機能手段、ユニット、またはモジュールを実施することができる。
【００７４】
図３Ｂにおいて、（たとえば、図３Ａの処理回路３０１ａを介して、および／またはソフトウェアコードを介して）無線デバイス３００ｂは、さまざまな機能手段、ユニット、またはモジュールを実施する。１つの実施形態において、（たとえば、本明細書において説明される方法を実施するために）これらの機能手段、ユニット、またはモジュールは、たとえば、第２のメッセージを送信するか、または第２のメッセージの送信に続く特定の期間の後に第１のメッセージを送信するための送信ユニット３１１ｂと、第１のメッセージが第２のメッセージの少なくとも部分的なコピーであるかどうかを決定するためのコピー決定ユニット３１５ｂと、第１および第２のメッセージが、いずれもアップリンク送信に関連付けられているか、またはいずれもダウンリンク送信に関連付けられているかどうかを決定するためのアップリンク／ダウンリンク決定ユニット３２１ｂと、第１のメッセージの少なくとも部分的なコピーである第２のメッセージの送信に続く少なくとも特定の期間にわたり第１のメッセージの送信を遅延させるための送信遅延ユニット３１７ｂと、第１のメッセージを送信するか、または送信しないかどうかを決定するための送信決定ユニット３１９ｂとを含むことができる。
【００７５】
もう１つの実施形態において、これらの機能手段、ユニット、またはモジュールは、たとえば、第２のメッセージを送信するか、または第２のメッセージの送信に続く特定の期間の後に第１のメッセージを送信するための送信ユニット３１１ｂと、第２のメッセージを送信することに応答して特定の期間後に満了を指示するためのタイマーを実行するためのタイミングモジュール３１３ｂと、第１のメッセージが第２のメッセージの少なくとも部分的なコピーであるかどうかを決定するためのコピー決定ユニット３１５ｂと、第１のメッセージの少なくとも部分的なコピーである第２のメッセージの送信に続く少なくとも特定の期間にわたり第１のメッセージの送信を遅延させるための送信遅延ユニット３１７ｂと、第１のメッセージを送信するか、または送信しないかどうかを決定するための送信決定ユニット３１９ｂとを含むことができる。
【００７６】
もう１つの実施形態において、これらの機能手段、ユニット、またはモジュールは、たとえば、特定のアップリンクまたはダウンリンク論理チャネルでのメッセージの送信を遅延させることに関連付けられているタイマーが、その特定のアップリンクまたはダウンリンク論理チャネルについて設定され、実行していないかどうかを決定するためのタイミングユニット３１３ｂと、無線リソースが、その特定のアップリンクまたはダウンリンク論理チャネルでの送信に割り当てられているか、または割り当てられていないかどうかを決定するための無線リソース決定ユニット３２３ｂと、その特定のアップリンクまたはダウンリンク論理チャネルでの送信に割り当てられている無線リソースが、メッセージに適応することができるか、または適応することができないかどうかを決定するための無線リソース割り当て決定ユニット３２５ｂと、その特定のアップリンクまたはダウンリンク論理チャネルについてタイマーが設定され、実行していないと決定することに応答して、メッセージを生成するためのメッセージ生成ユニット３２７ｂと、タイマーが、その特定のアップリンク／ダウンリンク論理チャネルについて設定され、実行していると決定することに応答して、メッセージを送信しないよう決定するための送信決定ユニット３１９ｂと、タイマーが、その特定のアップリンク／ダウンリンク論理チャネルについて設定され、実行していないと決定することに応答して、その特定のアップリンク／ダウンリンク論理チャネルでメッセージを送信するための送信ユニット３１１ｂとを含むことができる。
【００７７】
図４は、本明細書において説明されるさまざまな態様によるメッセージの送信を遅延させるために無線デバイスによって実行される方法４００の１つの実施形態を示す。図４において、方法４００は、たとえば、第２のメッセージを送信することを含むことができるブロック４０１において開始してもよい。ブロック４０３において、方法４００は、第１のメッセージが第２のメッセージの少なくとも部分的なコピーであるかどうかを決定することを含むことができる。方法４００は、第１および第２のメッセージが、ブロック４０４に表されているように、いずれもアップリンク送信に関連付けられているか、またはいずれもダウンリンク送信に関連付けられているかどうかを決定することをさらに含むことができる。第１のメッセージが、第２のメッセージの少なくとも部分的なコピーであると決定することに対する応答において、方法４００は、ブロック４０５により表されているように、第２のメッセージの送信に続く少なくとも特定の期間にわたり第１のメッセージの送信を遅延させることを含む。ブロック４０７において、方法４００は、第１のメッセージを送信するか、または送信しないかどうかを決定することを含むことができる。特定の期間の後、方法５００は、ブロック４０９に表されているように、第１のメッセージを送信することを含むことができる。
【００７８】
図５は、本明細書において説明されるさまざまな態様によるメッセージの送信を遅延させる無線デバイスによって実行される方法５００のもう１つの実施形態を示す。図５において、方法５００は、たとえば、第２のメッセージを送信することを含むことができるブロック５０１において開始してもよい。ブロック５０３において、方法５００は、第２のメッセージを送信することに応答して特定の期間後に満了を指示するためのタイマーを実行することを含むことができる。方法５００は、ブロック５０５により表されているように、第１のメッセージが第２のメッセージの少なくとも部分的なコピーであるかどうかを決定することをさらに含むことができる。第１のメッセージが第２のメッセージの少なくとも部分的なコピーであると決定することに対する応答において、方法５００は、ブロック５０７により表されているように、第１のメッセージの少なくとも部分的なコピーである第２のメッセージの送信に続く少なくとも特定の期間にわたり第１のメッセージの送信を遅延させることを含む。ブロック５０９において、方法５００は、特定の期間中または後に、第１のメッセージを送信するか、または送信しないかどうかを決定することを含むことができる。特定の期間の後第１のメッセージを送信するよう決定すること、および特定の期間が満了したことをタイマーが指示すると決定することに対する応答において、方法５００は、ブロック５１１により表されているように、第１のメッセージを送信することを含むことができる。第１のメッセージを送信することに対する応答において、方法５００は、ブロック５１３により表されているように、特定の期間後に満了を指示するためのタイマーを実行することを含むことができる。
【００７９】
図６は、本明細書において説明されるさまざまな態様による無線デバイスのもう１つの実施形態を示す。一部の例において、無線デバイス６００は、ユーザ機器（ＵＥ）、移動局（ＭＳ）、端末、セルラーフォン、セルラーハンドセット、携帯情報端末（ＰＤＡ）、スマートフォン、携帯電話、オーガナイザー、ハンドヘルドコンピュータ、デスクトップコンピュータ、ラップトップコンピュータ、タブレットコンピュータ、セットトップボックス、テレビジョン、電気器具、ゲームデバイス、医療デバイス、ディスプレイデバイス、計測デバイス、または一部のその他の同種の用語として称されてもよい。その他の例において、無線デバイス６００は、ハードウェアコンポーネントのセットであってもよい。図６において、無線デバイス６００は、入出力インターフェイス６０５と、無線周波数（ＲＦ）インターフェイス６０９と、ネットワーク接続インターフェイス６１１と、ランダムアクセスメモリ（ＲＡＭ）６１７、読取り専用メモリ（ＲＯＭ）６１９、ストレージ媒体６３１などを含むメモリ６１５と、通信サブシステム６５１と、電源６３３と、別のコンポーネント、またはその任意の組合せとに動作可能に結合されているプロセッサ６０１を含むように設定されてもよい。ストレージ媒体６３１は、オペレーティングシステム６３３、アプリケーションプログラム６３５、データ６３７などを含むことができる。特定のデバイスは、図６に示されているコンポーネントの全部、またはコンポーネントのサブセットのみを使用することができ、統合のレベルはデバイスごとに異なってもよい。さらに、固有のデバイスは、マルチプロセッサ、メモリ、送受信機、送信機、受信機などのような、コンポーネントの複数のインスタンスを含むことができる。たとえば、コンピューティングデバイスは、プロセッサ、およびメモリを含むように設定されてもよい。
【００８０】
図６において、プロセッサ６０１は、コンピュータ命令およびデータを処理するように設定されてもよい。プロセッサ６０１は、１つまたは複数のハードウェア実施の状態マシン（たとえば、ディスクリート論理、ＦＰＧＡ、ＡＳＩＣなど）、適切なファームウェアを伴うプログラマブル論理、１つまたは複数のストアドプログラム、適切なソフトウェアを伴う、マイクロプロセッサまたはデジタル信号プロセッサ（ＤＳＰ）のような汎用プロセッサ、または上記の任意の組合せのような、メモリ内の機械可読コンピュータプログラムとして格納されている機械命令を実行するように動作可能な任意の順序状態機械として設定されてもよい。たとえば、プロセッサ６０１は、２つのコンピュータプロセッサを含むことができる。１つの規定において、データは、コンピュータによる使用に適した形態をとる情報である。本開示の主題がさまざまなオペレーティングシステムまたはオペレーティングシステムの組合せを使用して実施され得ることを当業者が認識するであろうと留意することが重要である。
【００８１】
現在の実施形態において、入出力インターフェイス６０５は、入力デバイス、出力デバイス、または入力および出力デバイスに通信インターフェイスを提供するように設定されてもよい。無線デバイス６００は、入出力インターフェイス６０５を介して出力デバイスを使用するように設定されてもよい。当業者であれば、出力デバイスが、入力デバイスと同じタイプのインターフェイスポートを使用できることを認識するであろう。たとえば、ＵＳＢポートは、無線デバイス６００から入力および出力を提供するために使用されてもよい。出力デバイスは、スピーカ、サウンドカード、ビデオカード、ディスプレイ、モニター、プリンタ、アクチュエータ、エミッタ、スマートカード、別の出力デバイス、またはその任意の組合せであってもよい。無線デバイス６００は、ユーザが情報を無線デバイス６００に取り込むことができるように、入出力インターフェイス６０５を介して入力デバイスを使用するように設定されてもよい。入力デバイスは、マウス、トラックボール、方向パッド、トラックパッド、プレゼンスセンシティブ入力デバイス、プレゼンスセンシティブディスプレイのようなディスプレイ、スクロールホイール、デジタルカメラ、デジタルビデオカメラ、ウェブカメラ、マイクロフォン、センサー、スマートカードなどを含むことができる。プレゼンスセンシティブ入力デバイスは、デジタルカメラ、デジタルビデオカメラ、ウェブカメラ、マイクロフォン、センサー、またはユーザからの入力を感知するための同種のものを含むことができる。プレゼンスセンシティブ入力デバイスは、ディスプレイと組み合わされて、プレゼンスセンシティブディスプレイを形成してもよい。さらに、プレゼンスセンシティブ入力デバイスは、プロセッサに結合されてもよい。センサーは、たとえば、加速度計、ジャイロスコープ、傾斜センサー、力センサー、磁力計、光学センサー、近接センサー、別の同様のセンサー、またはその任意の組合せを含む。たとえば、入力デバイスは、加速度計、磁力計、デジタルカメラ、マイクロフォン、および光学センサーであってもよい。
【００８２】
図６において、ＲＦインターフェイス６０９は、送信機、受信機、およびアンテナのようなＲＦコンポーネントに通信インターフェイスを提供するように設定されてもよい。ネットワーク接続インターフェイス６１１は、ネットワーク６４３ａに通信インターフェイスを提供するように設定されてもよい。ネットワーク６４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワーク、またはその任意の組合せを含むことができる。たとえば、ネットワーク６４３ａは、Ｗｉ−Ｆｉネットワークであってもよい。ネットワーク接続インターフェイス６１１は、イーサネット、ＴＣＰ／ＩＰ、ＳＯＮＥＴ、ＡＴＭなどのような、当技術分野において知られているかまたは開発され得る１つまたは複数の通信プロトコルによる通信ネットワークを介して１つまたは複数のその他のノードと通信するために使用される受信機および送信機インターフェイスを含むように設定されてもよい。ネットワーク接続インターフェイス６１１は、（たとえば、光学、電気など）通信ネットワークリンクに適切な受信機および送信機の機能を実施することができる。送信機および受信機の機能は、回路コンポーネント、ソフトウェア、もしくはファームウェアを共有してもよいか、または個別に実施されてもよい。
【００８３】
この実施形態において、ＲＡＭ６１７は、オペレーティングシステム、アプリケーションプログラム、およびデバイスドライバのような、ソフトウェアプログラムの実行中に、データまたはコンピュータ命令の格納またはキャッシングを提供するために、バス６０３を介して、プロセッサ６０１とインターフェイスをとるように設定されてもよい。１つの例において、無線デバイス６００は、少なくとも１２８メガバイト（１２８Ｍｂｙｔｅ）のＲＡＭを含むことができる。ＲＯＭ６１９は、コンピュータ命令またはデータをプロセッサ６０１に提供するように設定されてもよい。たとえば、ＲＯＭ６１９は、基本入出力（Ｉ／Ｏ）、スタートアップ、または不揮発性メモリに格納されているキーボードからのキーストロークの受信のような、基本システム機能のための不変低レベルシステムコードまたはデータであるように設定されてもよい。ストレージ媒体６３１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、フラッシュドライブのようなメモリを含むように設定されてもよい。１つの例において、ストレージ媒体６３１は、オペレーティングシステム６３３、Ｗｅｂブラウザアプリケーション、ウィジェットまたはガジェットエンジンまたは別のアプリケーションのようなアプリケーションプログラム６３５、およびデータファイル６３７を含むように設定されてもよい。
【００８４】
図６において、プロセッサ６０１は、通信システム６５１を使用してネットワーク６４３ｂと通信するように設定されてもよい。ネットワーク６４３ａおよびネットワーク６４３ｂは、同じ１つまたは複数のネットワークであるか、または異なる１つまたは複数のネットワークであってもよい。通信サブシステム６５１は、ネットワーク６４３ｂと通信するために使用される１つまたは複数の送受信機を含むように設定されてもよい。１つまたは複数の送受信機は、ＩＥＥＥ８０２．ｘｘ、ＣＤＭＡ、ＷＣＤＭＡ、ＧＳＭ、ＬＴＥ、ＵＴＲＡＮ、ＷｉＭａｘなどのような、当技術分野において知られているかまたは開発され得る１つまたは複数の通信プロトコルによる無線アクセスネットワーク（ＲＡＮ）の基地局のような別の無線デバイスの１つまたは複数のリモート送受信機と通信するために使用されてもよい。
【００８５】
もう１つの例において、通信サブシステム６５１は、ＩＥＥＥ８０２．ｘｘ、ＣＤＭＡ、ＷＣＤＭＡ、ＧＳＭ、ＬＴＥ、ＵＴＲＡＮ、ＷｉＭａｘなどのような、当技術分野において知られているかまたは開発され得る１つまたは複数の通信プロトコルによるユーザ機器のような別の無線デバイスの１つまたは複数のリモート送受信機と通信するために使用される１つまたは複数の送受信機を含むように設定されてもよい。各送受信機は、それぞれ、（たとえば、周波数割り当てなど）ＲＡＮリンクに適切な送信機または受信機の機能を実施するために送信機６５３または受信機６５５を含むことができる。さらに、各送受信機の送信機６５３および受信機６５５は、回路コンポーネント、ソフトウェア、もしくはファームウェアを共有してもよいか、または個別に実施されてもよい。
【００８６】
現在の実施形態において、通信サブシステム６５１の通信機能は、データ通信、音声通信、マルチメディア通信、ブルートゥースのような短距離通信、近距離通信、位置を決定するための全地球測位システム（ＧＰＳ）の使用のような位置に基づく通信、別の同様の通信機能、またはその任意の組合せを含むことができる。たとえば、通信サブシステム６５１は、セルラー通信、ＷｉＦｉ通信、ブルートゥース通信、およびＧＰＳ通信を含むことができる。ネットワーク６４３ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワーク、またはその任意の組合せを含むことができる。たとえば、ネットワーク６４３ｂは、セルラーネットワーク、Ｗｉ−Ｆｉネットワーク、および近距離ネットワークであってもよい。電源６１３は、交流（ＡＣ）または直流（ＤＣ）電力を無線デバイス６００のコンポーネントに供給するように設定されてもよい。
【００８７】
図６において、ストレージ媒体６３１は、独立した複数のディスクの冗長性配列（ＲＡＩＤ）、フロッピーディスクドライブ、フラッシュメモリ、ＵＳＢフラッシュドライブ、外付けハードディスクドライブ、サムドライブ、ペンドライブ、キードライブ、高密度デジタル多用途ディスク（ＨＤ−ＤＶＤ）光ディスクドライブ、内蔵ハードディスクドライブ、ＢｌｕＲａｙ光ディスクドライブ、ホログラフィックデジタルデータストレージ（ＨＤＤＳ）光ディスクドライブ、外付けミニデュアルインラインメモリモジュール（ＤＩＭＭ）シンクロナスダイナミックランダムアクセスメモリ（ＳＤＲＡＭ）、外付けマイクロＤＩＭＭ  ＳＤＲＡＭ、サブスクライバ識別モジュールまたは取外し可能ユーザ識別（ＳＩＭ／ＲＵＩＭ）モジュールのようなスマートカードメモリ、その他のメモリ、またはその任意の組合せのような、多数の物理ドライブを含むように設定されてもよい。ストレージ媒体６３１は、無線デバイス６００が、データをオフロードするため、またはデータアップロードするために、一時的または非一時的メモリ媒体に格納されている、コンピュータ実行可能命令、アプリケーションプログラムなどにアクセスできるようにすることができる。通信システムを使用するもののような、製造品は、コンピュータ可読媒体を備えることができるストレージ媒体６３１に有形に具現されてもよい。
【００８８】
本明細書において説明される方法の機能は、無線デバイス６００のコンポーネントの１つにおいて、または無線デバイス６００の複数のコンポーネントにわたり区分されて実施されてもよい。さらに、本明細書において説明される方法の機能は、ハードウェア、ソフトウェア、またはファームウェアの任意の組合せにおいて実施されてもよい。１つの例において、通信サブシステム６５１は、本明細書において説明されるコンポーネントのいずれかを含むように設定されてもよい。さらに、プロセッサ６０１は、バス６０３を介して、そのようなコンポーネントのいずれかと通信するように設定されてもよい。もう１つの例において、そのようなコンポーネントのいずれかは、プロセッサ６０１によって実行されるとき、本明細書において説明されている対応する機能を実行する、メモリ内に格納されたプログラム命令によって表されてもよい。もう１つの例において、そのようなコンポーネントのいずれかの機能は、プロセッサ６０１と通信サブシステム６５１の間で区分されてもよい。もう１つの例において、そのようなコンポーネントのいずれかの膨大な計算量を必要としない機能は、ソフトウェアまたはファームウェアにおいて実施されてもよく、膨大な計算量を必要とする機能はハードウェアにおいて実施されてもよい。
【００８９】
追加の説明
ＵＥは、第１および第２のＭＡＣ  ＣＥが、相互のコピーであると（少なくとも部分的に）見なされる場合、ＵＥが第１のＭＡＣ  ＣＥを送信した後の時間Ｔに第２のＭＡＣ  ＣＥを送信することを禁止される。
【００９０】
本開示は、特に、ＵＥが、同じＭＡＣ  ＣＥのコピーを過剰に頻繁に送信しないが、同時にＵＥが、ＭＡＣ  ＣＥの目的および／または内容が異なる場合、短時間の間ＭＡＣ  ＣＥを２回（またはそれ以上）送信できるようにすることを説明する。
【００９１】
推奨されるビットレートに関してｅＮＢにクエリを行うためにＵＥがＭＡＣ  ＣＥを送信する場合のような、一部のシナリオにおいて、ＵＥが、たとえ短期間の間であっても同一のメッセージを複数回送信することを許容されることが望ましい。これは、たとえば、ＵＥが、論理チャネルＸでのアップリンク送信に推奨されるビットレートを要求して、論理チャネルＹでのダウンリンクに推奨されるビットレートを要求し、いずれの要求も同時に、または短期間に生じる場合に、望ましいことがある。ＵＥは、相互の直後（または場合によっては同時であっても）そのようにすることを許容される。一方、ＵＥが、論理チャネルＹでのダウンリンクに推奨されるビットレートを過剰に頻繁に要求することは好ましくない場合がある。
【００９２】
本明細書において、ＵＥが、推奨されるビットレートについてｅＮＢにクエリを行うために使用されるＭＡＣ  ＣＥに対して期間（Ｔ）で禁止タイマーを適用する方法が説明される。タイマーが実行している間、ＵＥは、ＭＡＣ  ＣＥを送信することを禁止される。このタイマーは、ＭＡＣ  ＣＥの送信時に開始または再始動され、したがってＵＥが毎時間Ｔよりも頻繁にＭＡＣ  ＣＥを送信しないことを保証する。
【００９３】
しかし、推奨されるビットレートについてｅＮＢにクエリを行うためのＭＡＣ  ＣＥが、単に例示のタイプのＭＡＣ  ＣＥであり、本開示がその他のＭＡＣ  ＣＥに適用され得ることを理解されたい。
【００９４】
第１および第２のＭＡＣ  ＣＥが、同じＭＡＣ  ＣＥタイプのインスタンスであってもよいことを理解されたい。
【００９５】
ＭＡＣ  ＣＥのコピーを抑制する
第１の実施形態において、第１のＭＡＣ  ＣＥが送信され、第１および第２のＭＡＣ  ＣＥが相互の（少なくとも部分的な）コピーであると見なされる場合、ＵＥは、禁止期間中に第２のＭＡＣ  ＣＥの送信を抑制する／遅延させる／ブロックする（または他の方法で実行しない）。しかし、第２のＭＡＣ  ＣＥが、第１のＭＡＣ  ＣＥのコピーではないと見なされる場合、ＵＥはＭＡＣ  ＣＥを送信することができる。
【００９６】
禁止期間は、第１のＭＡＣ  ＣＥが送信された後の時間（Ｔ）と見なされてもよい。これは、ＵＥが、第１のＭＡＣ  ＣＥを送信した後すぐに第２のＭＡＣ  ＣＥを送信しないようにする。これは、第１のＭＡＣ  ＣＥの送信時に開始されるタイマーを使用してＵＥによって実施されてもよく、ＵＥは、第２のＭＡＣ  ＣＥを送信することを許容されるか否かを決定するときにタイマーが実行しているかどうかを決定する。時間（Ｔ）は、ネットワークによって設定可能であるか、ＵＥにおいて事前設定済みであるか、標準仕様で提供されるか、などであってもよい。
【００９７】
ＭＡＣ  ＣＥの（部分的）コピーと見なすための条件
上記の説明において、ＵＥが、ＭＡＣ  ＣＥのコピーまたは部分的なコピーを送信することが許容されないことが説明された。以下の説明では、ＭＡＣ  ＣＥが相互の（部分的な）コピーであると見なされるための条件の例を示す。
【００９８】
２つのＭＡＣ  ＣＥが（部分的な）コピーとなる１つの可能な条件は、少なくとも１つのフィールドが第１および第２のＭＡＣ  ＣＥで同じ値を有することである。たとえば、２つのＭＡＣ  ＣＥがいずれも、アップリンクに推奨されるビットレートを提供するためにＵＥがｅＮＢにクエリを行うことをフィールドで指示する場合、これらは相互のコピーであると見なされてもよい。
【００９９】
２つのＭＡＣ  ＣＥが相互の（部分的な）コピーであるための条件のもう１つの可能な条件は、フィールドの組合せが同じことである。たとえば、フィールドＡおよびフィールドＢは、いずれも第１のＭＡＣ  ＣＥおよび第２のＭＡＣ  ＣＥにおいて値Ｘおよび値Ｙにセットされる。
【０１００】
２つのＭＡＣ  ＣＥが相互の（部分的な）コピーとなるもう１つの可能な条件は、ＭＡＣ  ＣＥの特定のフィールドについて、第１のＭＡＣ  ＣＥの値が、第２のＭＡＣ  ＣＥとは異なるしきい値よりも小さいことである。これは、特定のフィールドがかなり類似している場合に、ＵＥが、相互の後に時間的に近接して２つのＭＡＣ  ＣＥを送信しないようにするために有益である。これは、ｅＮＢにとって受信することが有意義ではない場合もあり、したがってＵＥがこれを送信することを禁じることで、リソースが（より意義のある）他のものに使用され得るので、システム容量を節約することができ、送信される信号がより少ないので干渉を減じることなどが可能になる。
【０１０１】
加えて、上記の条件の任意の組合せが可能である。これらの組合せは、第１の条件または第２の条件のいずれかが満たされる場合（たとえば、１つのフィールドが２つのＭＡＣ  ＣＥで同じであるか、またはフィールドの値が２つのＭＡＣ  ＣＥの間で別々にしきい値よりも小さい）、２つのＭＡＣ  ＣＥが（部分的な）コピーであると見なされるようにするＯＲ論理和と組み合わされてもよい。１つのフィールドが２つのＭＡＣ  ＣＥで同じであり、かつフィールドの値が２つのＭＡＣ  ＣＥの間で別々にしきい値よりも小さい場合に、２つのＭＡＣ  ＣＥが（部分的な）コピーであると見なされる、ＡＮＤ論理積もまた可能である。
【０１０２】
図７は、本明細書において説明されるさまざまな態様によるメッセージの送信を遅延させるために無線デバイスによって実行される方法のもう１つの実施形態を示す。図７において、ＵＥは、ＭＡＣ  ＣＥが、推奨されるビットレート（ＲＢＲ）に関してｅＮＢにクエリを行うために使用されるかどうかを決定する。ＵＥは、この振る舞いにより、そのようなＭＡＣ  ＣＥを送信するときに、異なるタイマーを開始し、どのタイマーをＵＥが開始するかは、ＭＡＣ  ＣＥがアップリンクまたはダウンリンクのいずれのためであったかに依存する。ＵＥがアップリンクまたはダウンリンクのためにそのようなＭＡＣ  ＣＥを送信しようとする場合、ＵＥは、関連するタイマーが実行していないことを最初に確認する。タイマーが実行している場合、ＵＥは、ＭＡＣ  ＣＥを送信しない。しかし、タイマーが実行していない場合、ＵＥは、ＭＡＣ  ＣＥを送信し、次いでタイマーを開始する。
【０１０３】
図７において、ＵＥは、２つのＭＡＣ  ＣＥがいずれもアップリンクのためである場合、またはいずれもダウンリンクのためである場合、いずれもＲＢＲを要求するための２つのＭＡＣ  ＣＥを相互のコピーであると見なし、それ以外の場合、これらは相互のコピーではないと見なされる。たとえば、ＵＥは、ブロック７０１により参照されるように、アップリンクまたはダウンリンクで推奨されるビットレート（ＲＢＲ）に関してｅＮＢにクエリを行うためにＭＡＣ  ＣＥを送信する必要があるかどうかを決定する。送信する必要がある場合、ＵＥは、ブロック７０３により参照されるように、ＭＡＣ  ＣＥがアップリンクのためのものであるか、またはダウンリンクのためのものであるかを決定する。次いで、ＵＥは、それぞれのブロック７０５ａ、７０５ｂにより参照されるように、それぞれのアップリンクまたはダウンリンクについてＲＢＲクエリのＭＡＣ  ＣＥに関連付けられている禁止タイマーが実行中であるかどうかを決定する。実行中ではない場合、ＵＥは、それぞれのブロック７０７ａ、７０７ｂにより参照されるように、それぞれアップリンクまたはダウンリンクについてＲＢＲクエリのＭＡＣ  ＣＥを送信する。さらに、ＵＥは、それぞれのブロック７０９ａ、７０９ｂにより参照されるように、それぞれアップリンクまたはダウンリンクについてＲＢＲクエリのＭＡＣ  ＣＥの禁止タイマーを開始する。
【０１０４】
図８において、方向および論理チャネルの両方に、別個のタイマーが使用されてもよい。図８において、クエリが新しい方向（ＵＬまたはＤＬ）および論理チャネル（ＬＣＩＤ）のためである場合、別個のタイマーが開始される。ＵＥは、２つのＭＡＣ  ＣＥがいずれもアップリンクのためである場合、またはいずれもダウンリンクのためである場合、かつこれらが同じ論理チャネルのためである場合に、いずれもＲＢＲを要求するためである２つのＭＡＣ  ＣＥを相互のコピーであると見なし、それ以外の場合、これらは相互のコピーではないと見なされる。たとえば、ＵＥは、ブロック８０１により参照されるように、アップリンクまたはダウンリンクで推奨されるビットレート（ＲＢＲ）に関してｅＮＢにクエリを行うためにＭＡＣ  ＣＥを送信する必要があるかどうかを決定する。送信する必要がある場合、ＵＥは、ブロック８０３により参照されるように、ＭＡＣ  ＣＥがアップリンクのためのものであるかまたはダウンリンクのためのものであるかを決定する。次いで、ＵＥは、それぞれのブロック８０５ａ、８０５ｂにより参照されるように、それぞれのアップリンクまたはダウンリンクについてＲＢＲクエリのＭＡＣ  ＣＥに関連付けられている禁止タイマーが実行中であるかどうかを決定する。実行中である場合、ＵＥは、それぞれのブロック８１１ａ、８１１ｂにより参照されるように、特定のＬＣＩＤについてそれぞれのアップリンクまたはダウンリンクのためのＲＢＲクエリのＭＡＣ  ＣＥの禁止タイマーが実行中であるかどうかを決定する。実行中ではない場合、ＵＥは、それぞれのブロック８０７ａ、８０７ｂにより参照されるように、それぞれアップリンクまたはダウンリンクについてＲＢＲクエリのＭＡＣ  ＣＥを送信する。さらに、ＵＥは、それぞれのブロック８０９ａ、８０９ｂにより参照されるように、それぞれアップリンクまたはダウンリンク、およびＬＣＩＤについてＲＢＲクエリのＭＡＣ  ＣＥの禁止タイマーを開始する。
【０１０５】
図９に概説されるように、方向、論理チャネル、およびレートの制約に対して、別個のタイマーが使用されてもよい。図９において、クエリが新しい方向（ＵＬまたはＤＬ）、新しい論理チャネル（ＬＣＩＤ）のためであり、レートが所与の条件とは異なる（この場合はより高いビットレート）場合、別個のタイマーが開始される。ＵＥは、２つのＭＡＣ  ＣＥがいずれもアップリンクのためである場合、またはいずれもダウンリンクのためである場合、これらが同じ論理チャネルのためである場合、かつレートが条件を満たさない場合に、いずれもＲＢＲを要求するためである２つのＭＡＣ  ＣＥを相互のコピーであると見なす。それ以外の場合、これらは相互のコピーとは見なされない。図９において、レートがより高かった条件が使用されたが、その他の条件もまた使用されてもよい（たとえば、レートが現在のＲＢＲよりも低いか、またはレートが特定の量だけ現在のＲＢＲよりも低い）。たとえば、ＵＥは、ブロック９０１により参照されるように、アップリンクまたはダウンリンクで推奨されるビットレート（ＲＢＲ）に関してｅＮＢにクエリを行うためにＭＡＣ  ＣＥを送信する必要があるかどうかを決定する。送信する必要がある場合、ＵＥは、ブロック９０３により参照されるように、ＭＡＣ  ＣＥがアップリンクのためのものであるかまたはダウンリンクのためのものであるかを決定する。次いで、ＵＥは、それぞれのブロック９０５ａ、９０５ｂにより参照されるように、それぞれのアップリンクまたはダウンリンクについてＲＢＲクエリのＭＡＣ  ＣＥに関連付けられている禁止タイマーが実行中であるかどうかを決定する。実行中である場合、ＵＥは、それぞれのブロック９１１ａ、９１１ｂにより参照されるように、特定のＬＣＩＤについてそれぞれのアップリンクまたはダウンリンクのためのＲＢＲクエリのＭＡＣ  ＣＥの禁止タイマーが実行中であるかどうかを決定する。実行中である場合、ＵＥは、特定のＬＣＩＤについてそれぞれのアップリンクまたはダウンリンクのためのＲＢＲクエリのＭＡＣ  ＣＥの禁止タイマーが、同じＬＣＩＤを有するＲＢＲクエリの以前送信されたＭＡＣ  ＣＥのＲＢＲよりも高いＲＢＲを有するかどうかを決定する。実行中ではない場合、ＵＥは、それぞれのブロック９０７ａ、９０７ｂにより参照されるように、それぞれアップリンクまたはダウンリンクについてＲＢＲクエリのＭＡＣ  ＣＥを送信する。さらに、ＵＥは、それぞれのブロック９０９ａ、９０９ｂにより参照されるように、それぞれアップリンクまたはダウンリンク、およびＬＣＩＤについてＲＢＲクエリのＭＡＣ  ＣＥの禁止タイマーを開始する。
【０１０６】
もう１つの実施形態において、ｂｉｔＲａｔｅＱｕｅｒｙＰｒｏｈｉｂｉｔＴｉｍｅｒは、ビットレートのクエリを制御するように設定されてもよい。ＵＥは、ｂｉｔＲａｔｅＱｕｅｒｙＰｒｏｈｉｂｉｔＴｉｍｅｒが設定され、固有の論理チャネルおよびアップリンク／ダウンリンク方向について実行していない場合に限り、クエリメッセージをｅＮＢに送信することを許容される。別個のｂｉｔＲａｔｅＱｕｅｒｙＰｒｏｈｉｂｉｔＴｉｍｅｒは、固有の論理チャネルおよびアップリンク／ダウンリンク方向について、ＵＥからｅＮＢへのビットレート推奨クエリメッセージごとに開始される。
【０１０７】
図１０は、本明細書において説明されるさまざまな態様によるメッセージの送信を遅延させるために無線デバイスによって実行される方法１０００のもう１つの実施形態を示す。図１０において、方法１０００は、たとえば、特定のアップリンクまたはダウンリンク論理チャネルでのメッセージの送信を遅延させることに関連付けられているタイマーが、その特定のアップリンクまたはダウンリンク論理チャネルについて設定され、実行していないかどうかを決定することを含むブロック１００１において、開始することができる。ブロック１００３において、方法１０００は、無線リソースが、その特定のアップリンクまたはダウンリンク論理チャネルでの送信に割り当てられているか、または割り当てられていないかどうかを決定することを含むことができる。さらに、方法１０００は、ブロック１００５により参照されるように、その特定のアップリンクまたはダウンリンク論理チャネルでの送信に割り当てられている無線リソースが、メッセージに適応することができるか、または適応することができないかどうかを決定することを含むことができる。ブロック１００７において、方法１０００は、その特定のアップリンクまたはダウンリンク論理チャネルについてタイマーが設定され、実行していないと決定することに応答して、メッセージを生成することを含むことができる。ブロック１００９において、方法１０００は、その特定のアップリンクまたはダウンリンク論理チャネルについてタイマーが設定され、実行していないと決定することに応答して、タイマーを実行することを含むことができる。ブロック１０１１において、方法１０００は、その特定のアップリンクまたはダウンリンク論理チャネルについてタイマーが設定され、実行していると決定することに応答して、メッセージを送信しないよう決定することを含むことができる。ブロック１０１３において、方法１０００は、タイマーが、その特定のアップリンクまたはダウンリンク論理チャネルについて設定され、実行していないと決定することに応答して、その特定のアップリンク／ダウンリンク論理チャネルでメッセージをネットワークノードに送信することを含む。
【０１０８】
省略語
省略語            説明
３ＧＰＰ          第３世代パートナーシッププロジェクト
ＢＳ              基地局
ＣＥ              制御要素
ＣＰ              サイクリックプレフィックス
ＣＲＣ            巡回冗長検査
ＣＲＳ            セル固有参照信号
ＣＳＩ            チャネル状態情報
ＣＳＳ            共通検索スペース
ＤＬ              ダウンリンク
ｅＮＢ            エボルブドノードＢ（つまり、基地局）
Ｅ−ＵＴＲＡ      拡張ユニバーサル地上無線アクセス
Ｅ−ＵＴＲＡＮ    拡張ユニバーサル地上無線アクセスネットワーク
ＤＦＴ            離散フーリエ変換
ＦＤＤ            周波数分割複信
ＩＦＦＴ          逆高速フーリエ変換
ＩｏＴ            モノのインターネット
ＬＴＥ            Ｌｏｎｇ  Ｔｅｒｍ  Ｅｖｏｌｕｔｉｏｎ（ＬＴＥ）
ＭＡＣ            媒体アクセス制御
ＭＩＭＯ          多入力多出力
ＭＳＲ            マルチスタンダード無線
ＭＴＣ            マシンタイプ通信
ＮＢ              狭帯域
ＮＢ−ＩｏＴ      狭帯域モノのインターネット
ＮＢ−ＬＴＥ      狭帯域ＬＴＥ（たとえば、１８０ＫＨｚ帯域幅）
ＮＢ−ＰＢＣＨ    ＮＢ−ＩｏＴ物理ブロードキャストチャネル
ＮＢ−ＰＳＳ      ＮＢ−ＩｏＴ１次同期シーケンス
ＮＢ−ＳＳＳ      ＮＢ−ＩｏＴ２次同期シーケンス
ＯＦＤＭ          直交周波数分割変調（ＯＦＤＭ）
ＯＦＤＭＡ        直交周波数分割変調アクセス
ＰＡ              電力増幅器
ＰＡＰＲ          ピーク対平均電力比
ＰＢＣＨ          物理ブロードキャストチャネル
ＰＤＣＣＨ        物理データ制御チャネル
ＰＤＣＰ          パケットデータコンバージェンスプロトコル（ＰＤＣＰ）
ＰＤＵ            プロトコルデータユニット
ＰＲＡＣＨ        物理ランダムアクセスチャネル
ＰＲＢ            物理リソースブロック
ＰＳＤ            電力スペクトル密度
ＰＳＳ            １次同期シーケンス
ＰＵＳＣＨ        物理アップリンク共有チャネル
ＲＡＣＨ          ランダムアクセスチャネル
ＲＡＴ            無線アクセス技術
ＲＢＲ            推奨されるビットレート
ＲＦ              無線周波数
ＲＲＣ            無線リソース制御
ＳｏＣ            システムオンチップ
ＳＣ−ＦＤＭＡ    シングルキャリア、周波数分割多元接続
ＳＦＢＣ          空間周波数ブロック符号化
ＳＩＢ            システム情報ブロック
ＳＩＭ            加入者識別モジュール
ＳＮＲ            信号対雑音比
ＳＲＳ            サウンディング参照信号
ＳＳＳ            ２次同期シーケンス
ＴＤＤ            時分割複信
Ｔｘ              送信機
ＵＥ              ユーザ機器
ＵＬ              アップリンク
ＵＳＳ            ＵＥ固有検索スペース
ＷＢ−ＬＴＥ      広帯域ＬＴＥ（つまり、レガシーＬＴＥに対応する）
ＺＣ              Ｚａｄｏｆｆ−Ｃｈｕアルゴリズム
【０１０９】
本明細書において説明される態様は、標準プログラミングまたはエンジニアリング技術を使用して、ソフトウェア、ファームウェア、ハードウェア（たとえば、回路）、またはその任意の組合せを使用して、開示される主題を実施するようにコンピューティングデバイスを制御するために実施されてもよい。一部の実施形態が、マイクロプロセッサ、デジタル信号プロセッサ、カスタムプロセッサ、およびフィールドプログラマブルゲートアレイ（ＦＰＧＡ）のような１つまたは複数の汎用または専用のプロセッサ、ならびに本明細書において説明される方法、デバイス、およびシステムの機能の一部、多く、または全部を、特定の非プロセッサ回路と共に、実施するように１つまたは複数のプロセッサを制御する一意のストアドプログラム命令（ソフトウェアおよびファームウェアの両方を含む）で設定されてもよいことが理解されるであろう。あるいは、一部または全部の機能は、ストアドプログラム命令を有していない状態マシンによって、または各機能もしくは特定の機能の一部の組合せがカスタム論理回路として実施される１つまたは複数の特定用途向け集積回路（ＡＳＩＣ）において、実施されてもよい。言うまでもなく、２つの手法の組合せが使用されてもよい。さらに、当業者が、たとえば使用可能な時間、現在の技術、および経済的な考慮事項により動機付けられた場合によっては重大な取組みおよび多くの設計の選択にもかかわらず、本明細書において開示される概念および原理に導かれる場合、そのようなソフトウェア命令ならびにプログラムおよびＩＣを最小限の実験で容易に生成することができるであろうことが期待される。
【０１１０】
本明細書において使用されるように、「製造品」という用語は、任意のコンピューティングデバイス、キャリア、または媒体からアクセス可能なコンピュータプログラムを含むことが意図される。たとえば、コンピュータ可読記憶媒体は、ハードディスク、フロッピーディスク、または磁気ストリップのような磁気ストレージデバイス、コンパクトディスク（ＣＤ）またはデジタル多用途ディスク（ＤＶＤ）のような光ディスク、スマートカード、およびカード、スティック、またはキードライブのようなフラッシュメモリデバイスを含むことができる。加えて、電子メール（ｅメール）のような電子データを送信および受信する際、またはインターネットまたはローカルエリアネットワーク（ＬＡＮ）のようなコンピュータネットワークにアクセスする際に使用されるものを含むコンピュータ可読電子データを搬送するために、搬送波が採用されてもよいことを理解されたい。言うまでもなく、当業者であれば、本開示の主題の範囲または精神を逸脱することなく多くの変更がこの設定に行われてもよいことを理解するであろう。
【０１１１】
明細書および実施形態全体を通じて、以下の用語は、文脈上他の意味を明確に指示する場合を除き、少なくとも本明細書において明示的に関連付けられている意味を取る。「第１」および「第２」などのような関係語は、単に１つのエンティティまたはアクションを、そのようなエンティティまたはアクションの間の実際のそのような関係または順序を必ずしも要求もしくは暗示することなく、他のエンティティまたはアクションと区別するために使用されてもよい。「または（ｏｒ）」という用語は、特に指定のない限り、または排他的形式を対象にすることが文脈から明らかでない限り、包含的「ＯＲ（論理和）」を意味することが企図される。さらに「ａ」、「ａｎ」、および「ｔｈｅ」という用語は、特に指定のない限り、または単数形を対象にすることが文脈から明らかでない限り、１つまたは複数を意味することが企図される。「含む」という用語およびそのさまざまな形式は、限定的ではなく包含を意味することが企図される。「１つの実施形態（ｏｎｅ  ｅｍｂｏｄｉｍｅｎｔ）」、「実施形態（ａｎ  ｅｍｂｏｄｉｍｅｎｔ）」、「例示の実施形態（ｅｘａｍｐｌｅ  ｅｍｂｏｄｉｍｅｎｔ）」、「さまざまな実施形態（ｖａｒｉｏｕｓ  ｅｍｂｏｄｉｍｅｎｔｓ）」などの用語は、そのように説明される開示される技術の実施形態が、特定の機能、特徴、構造、または特性を含むことはできるが、すべての実施形態が必ずしも特定の機能、特徴、構造、または特性を含むわけではないことを指示する。さらに、「１つの実施形態において」という語句の繰り返される使用は、必ずしも同一の実施形態を参照するものではない、ただし同一の実施形態を参照する場合もある。「実質的に（ｓｕｂｓｔａｎｔｉａｌｌｙ）」、「本質的に（ｅｓｓｅｎｔｉａｌｌｙ）」、「およそ（ａｐｐｒｏｘｉｍａｔｅｌｙ）」、「約（ａｂｏｕｔ）」という用語、またはその任意の他の変形は、当業者により理解される意味に近いものとして規定され、１つの非限定的な実施形態において、用語は１０％以内と規定され、別の実施形態においては５％以内、別の実施形態においては１％以内、および別の実施形態においては０．５％以内と規定される。特定の方法で「設定される」デバイスまたは構造は、少なくともその方法で設定されるが、列記されていない方法で設定されてもよい。
【図１】
0006858263.tif 000005
【図２】
0006858263.tif 000006
【図３Ａ−３Ｂ】
0006858263.tif 000007
【図４】
0006858263.tif 000008
【図５】
0006858263.tif 000009
【図６】
0006858263.tif 000010
【図７】
0006858263.tif 000011
【図８】
0006858263.tif 000012
【図９】
0006858263.tif 000013
【図１０】
0006858263.tif 000014
【図１１】
0006858263.tif 000015
【図１２】
0006858263.tif 000016
【図１３】
0006858263.tif 000017